(57)【要約】【課題】継電器が誤動作する恐れのある継電器用電源装置を発見できる可能性を向上させる。【解決手段】継電器用電源検査装置１０は、電源用端子２０と、範囲判断部２８と、動作判断用継電器と、継電器接続電路２６と、複数種条件判断部３０と、判断結果出力部３２とを備える。範囲判断部２８は、電源用端子２０に接続される。範囲判断部２８は、継電器用電源装置１２から流れる電流の対地電圧が所定の範囲内か否かを判断する。継電器接続電路２６は、継電器用電源装置１２から流れる電流が動作判断用継電器を通ると電流が導通可能になる。複数種条件判断部３０は、継電器用電源装置１２から流れる電流の対地電圧が所定の範囲内であり、かつ、継電器接続電路２６が導通可能であるか否かを判断する。判断結果出力部３２は、複数種条件判断部３０の判断結果を示す情報を出力する。【選択図】図１
2019120612.tif 000002
【特許請求の範囲】
【請求項１】
継電器への電力供給に用いられる継電器用電源装置が接続されるための電源用端子と、
前記電源用端子に接続され前記継電器用電源装置から流れる電流の対地電圧が所定の範囲内か否かを判断する範囲判断部とを備える継電器用電源検査装置であって、
前記電源用端子に接続され前記継電器用電源装置から流れる電流が通る動作判断用継電器と、
前記動作判断用継電器に接続され、前記継電器用電源装置から流れる電流が前記動作判断用継電器を通ると電流が導通可能になる継電器接続電路と、
前記継電器用電源装置から流れる電流の対地電圧が前記所定の範囲内であり、かつ、前記継電器接続電路が導通可能であるか否かを判断する、前記範囲判断部と前記継電器接続電路とに接続される複数種条件判断部と、
前記複数種条件判断部の判断結果を示す情報を出力する判断結果出力部とをさらに備えることを特徴とする継電器用電源検査装置。
【請求項２】
前記範囲判断部が、
対地電圧が前記所定の範囲の上限値である電力を供給する上限電力供給部と、
前記上限電力供給部および前記電源用端子に接続され、前記電源用端子を介して前記継電器用電源装置から流れる前記電流の前記対地電圧より前記上限電力供給部が供給する前記電力の前記対地電圧が高いか否かを判断する電圧上限判断素子と、
対地電圧が前記所定の範囲の下限値である電力を供給する下限電力供給部と、
前記下限電力供給部および前記電源用端子に接続され、前記電源用端子を介して前記継電器用電源装置から流れる前記電流の前記対地電圧より前記下限電力供給部が供給する前記電力の前記対地電圧が低いか否かを判断する電圧下限判断素子と、
前記電源用端子を介して前記継電器用電源装置から流れる前記電流の前記対地電圧より前記上限電力供給部が供給する前記電力の前記対地電圧が高く、かつ、前記電源用端子を介して前記継電器用電源装置から流れる前記電流の前記対地電圧より前記下限電力供給部が供給する前記電力の前記対地電圧が低いか否かを判断する、前記電圧上限判断素子と前記電圧下限判断素子とに接続される電圧条件判断素子とを有していることを特徴とする請求項１に記載の継電器用電源検査装置。
【請求項３】
前記上限電力供給部が、
対地電圧が前記所定の範囲の上限値を超過する電力を供給する超過電力供給部と、
前記超過電力供給部に接続され、前記超過電力供給部が供給する前記電力の対地電圧を前記所定の範囲の上限値まで降圧する上限側降圧部とを有していることを特徴とする請求項２に記載の継電器用電源検査装置。
【発明の詳細な説明】
【技術分野】
【０００１】
本発明は、継電器用電源検査装置に関する。
【背景技術】
【０００２】
特許文献１は電源監視回路を開示する。この電源監視回路は、電圧比較器と、一対の抵抗素子と、定電圧源とを備える。一対の抵抗素子は、電源から接地される箇所までの間に直列に接続される。電源電位と接地電位との間は各抵抗素子の抵抗比で分圧される。この抵抗素子の間から取り出される電位は、監視電位として電圧比較器に供給される。定電圧源は、周知の定電圧回路によって構成され、次に述べられる電位を発生する。その電位は、電源電位の変動に関係なく、接地電位に対して常に一定の電位差を維持する電位である。この電位は、基準電位として電圧比較器に供給される。この電源監視回路は、コンピュータの電源電圧を監視するために用いられる。
【０００３】
特許文献１に開示されている電源監視回路は、電源電位の低下を検出する。これにより、データを正しく判定できなくなる程度まで電源電位が低下する前にコンピュータの回路動作を停止させることができる。その結果、電源監視回路を備えているコンピュータは、電源監視回路を備えていないコンピュータに比べ、誤動作する恐れを低くできる。
【０００４】
電源電位が低下すると誤動作が生じやすくなるのはコンピュータばかりではない。継電器もまた、電源電位が低下すると誤動作が生じやすくなる。特許文献１に開示されている電源監視回路が継電器用電源装置に接続されると、継電器が誤動作する恐れのある継電器用電源装置を発見できる。
【先行技術文献】
【特許文献】
【０００５】
【特許文献１】特開２０００−８８８９６号公報
【発明の概要】
【発明が解決しようとする課題】
【０００６】
しかしながら、特許文献１に開示された電源監視回路には、継電器が誤動作する恐れのある継電器用電源装置を発見するためには不十分という問題点がある。
【０００７】
本発明は、このような問題を解消するものである。その目的は、継電器が誤動作する恐れのある継電器用電源装置を発見できる可能性を向上させる継電器用電源検査装置を提供することにある。
【課題を解決するための手段】
【０００８】
図面を参照して本発明の継電器用電源検査装置を説明する。なお、この欄で図中の符号を使用したのは、発明の内容の理解を助けるためであって、内容を図示した範囲に限定する意図ではない。
【０００９】
上記課題を解決するために、本発明のある局面に従うと、継電器用電源検査装置１０は、電源用端子２０と、範囲判断部２８とを備える。電源用端子２０は、継電器用電源装置１２が接続されるための端子である。継電器用電源装置１２は継電器への電力供給に用いられる。範囲判断部２８は、電源用端子２０に接続される。範囲判断部２８は、継電器用電源装置１２から流れる電流の対地電圧が所定の範囲内か否かを判断する。継電器用電源検査装置１０は、動作判断用継電器７０と、継電器接続電路２６と、複数種条件判断部３０と、判断結果出力部３２とをさらに備える。動作判断用継電器７０は、電源用端子２０に接続される。動作判断用継電器７０は、継電器用電源装置１２から流れる電流が通る。継電器接続電路２６は、動作判断用継電器７０に接続される。継電器接続電路２６は、継電器用電源装置１２から流れる電流が動作判断用継電器７０を通ると電流が導通可能になる。複数種条件判断部３０は、継電器用電源装置１２から流れる電流の対地電圧が所定の範囲内であり、かつ、継電器接続電路２６が導通可能であるか否かを判断する。複数種条件判断部３０は、範囲判断部２８と継電器接続電路２６とに接続される。判断結果出力部３２は、複数種条件判断部３０の判断結果を示す情報を出力する。
【００１０】
継電器用電源装置１２から動作判断用継電器７０に電流が流れると、継電器接続電路２６が導通可能になる。複数種条件判断部３０は、継電器用電源装置１２から流れる電流の対地電圧が所定の範囲内であり、かつ、継電器接続電路２６が導通可能であるか否かを判断する。これにより、単に継電器用電源装置１２から流れる電流の対地電圧が所定の範囲内か否かを判断するだけでなく、継電器用電源装置１２に継電器が接続されその継電器へその継電器用電源装置１２から電力が供給されると正しく動作するか否かの判断を行うこととなる。その結果、継電器が誤動作する恐れのある継電器用電源装置１２を発見できる可能性が向上する。
【００１１】
また、上述した範囲判断部２８が、上限電力供給部８２と、電圧上限判断素子１２０と、下限電力供給部８６と、電圧下限判断素子１２６と、電圧条件判断素子１３４とを有していることが望ましい。上限電力供給部８２は、対地電圧が所定の範囲の上限値である電力を供給する。電圧上限判断素子１２０は、上限電力供給部８２および電源用端子２０に接続される。電圧上限判断素子１２０は、電源用端子２０を介して継電器用電源装置１２から流れる電流の対地電圧より上限電力供給部８２が供給する電力の対地電圧が高いか否かを判断する。下限電力供給部８６は、対地電圧が所定の範囲の下限値である電力を供給する。電圧下限判断素子１２６は、下限電力供給部８６および電源用端子２０に接続される。電圧下限判断素子１２６は、電源用端子２０を介して継電器用電源装置１２から流れる電流の対地電圧より下限電力供給部８６が供給する電力の対地電圧が低いか否かを判断する。電圧条件判断素子１３４は、次に述べられる２件の要件が共に満たされるか否かを判断する。第１の要件は、電源用端子２０を介して継電器用電源装置１２から流れる電流の対地電圧より上限電力供給部８２が供給する電力の対地電圧が高いという要件である。第２の要件は、電源用端子２０を介して継電器用電源装置１２から流れる電流の対地電圧より下限電力供給部８６が供給する電力の対地電圧が低いという要件である。電圧条件判断素子１３４は、電圧上限判断素子１２０と電圧下限判断素子１２６とに接続される。
【００１２】
範囲判断部２８は、上限電力供給部８２と、電圧上限判断素子１２０と、下限電力供給部８６と、電圧下限判断素子１２６と、電圧条件判断素子１３４とを有している。これにより、範囲判断部２８は、単に継電器用電源装置１２の電圧が所定の下限値を下回るか否かを判断するのではなく、電源用端子２０を介して継電器用電源装置１２から流れる電流の対地電圧が所定の上限値と下限値との間にあるか否かを判断できる。
【００１３】
もしくは、上述した上限電力供給部８２が、超過電力供給部９０と、上限側降圧部９２とを有していることが望ましい。超過電力供給部９０は、対地電圧が所定の範囲の上限値を超過する電力を供給する。上限側降圧部９２は、超過電力供給部９０に接続される。上限側降圧部９２は、超過電力供給部９０が供給する電力の対地電圧を所定の範囲の上限値まで降圧する。
【００１４】
上限電力供給部８２が、超過電力供給部９０と上限側降圧部９２とを有している。超過電力供給部９０が供給した電力を上限側降圧部９２が降圧する。いったん対地電圧が高い電力を供給しその電圧を降下させることで、変圧に伴うエネルギーロスに起因して範囲判断部２８における電力が不足することを防止できる。
【発明の効果】
【００１５】
本発明にかかる継電器用電源検査装置によれば、継電器が誤動作する恐れのある継電器用電源装置を発見できる可能性を向上させる。
【図面の簡単な説明】
【００１６】
【図１】本発明の一実施形態にかかる継電器用電源検査装置の構成が示される概念図である。
【図２】本発明の一実施形態にかかる電力消費部および動作判断部の構成が示される概念図である。
【図３】本発明の一実施形態にかかる範囲判断部の一部の構成が示される概念図である。
【図４】本発明の一実施形態にかかる範囲判断部の残る一部と継電器接続電路と複数種条件判断部との構成を示す概念図である。
【発明を実施するための形態】
【００１７】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１８】
［構成の説明］
以下、本発明の一実施形態について説明する。図１は、本実施形態にかかる継電器用電源検査装置１０の構成が示される概念図である。図１に基づいて、本実施形態にかかる継電器用電源検査装置１０の構成が説明される。
【００１９】
本実施形態にかかる継電器用電源検査装置１０は、継電器用電源装置１２を検査するための装置である。継電器用電源装置１２は図示されない継電器への電力供給に用いられる。本実施形態にかかる継電器用電源検査装置１０は、電源用端子２０と、電力消費部２２と、動作判断部２４と、継電器接続電路２６と、範囲判断部２８と、複数種条件判断部３０と、判断結果出力端子３２と、第１接地極３４と、第２接地極３６とを備える。
【００２０】
電源用端子２０は、継電器用電源装置１２が接続されるための端子である。電力消費部２２は、電源用端子２０と範囲判断部２８との間に接続される。継電器用電源装置１２から範囲判断部２８へ流れる電流の一部が電力消費部２２で分岐する。電力消費部２２は、分岐した電流による電力を消費する。
【００２１】
動作判断部２４は、継電器用電源装置１２から流れる電流が図示されない継電器（継電器用電源装置１２が電力を供給することが予定されている継電器）を動作させ得るか否かを判断する。継電器接続電路２６は、動作判断部２４に接続される。
【００２２】
範囲判断部２８は、電力消費部２２を介して電源用端子２０に接続される。範囲判断部２８は、継電器用電源装置１２から流れてくる電流の対地電圧が所定の範囲内か否かを判断する。本実施形態におけるこの判断の具体的内容は後述される。
【００２３】
複数種条件判断部３０は、継電器接続電路２６と範囲判断部２８とに接続される。複数種条件判断部３０は、継電器用電源装置１２から流れる電流の対地電圧が所定の範囲内であり、かつ、継電器接続電路２６が導通可能であるか否かを判断する。判断結果出力端子３２は、その信号を出力する。
【００２４】
第１接地極３４、および、第２接地極３６は、本実施形態にかかる継電器用電源検査装置１０のうち所定の部分を接地する。本実施形態において継電器用電源検査装置１０のうちどの部分が接地されるかは後述される。
【００２５】
図２は、本実施形態にかかる電力消費部２２および動作判断部２４の構成が示される概念図である。図２に基づいて、本実施形態にかかる電力消費部２２および動作判断部２４の構成が説明される。
【００２６】
本実施形態にかかる電力消費部２２は、第１抵抗器５０と、第２抵抗器５２と、第３抵抗器５４とを有する。
【００２７】
第１抵抗器５０の一端は、電源用端子２０と範囲判断部２８とを接続する電線から分岐する電線に接続される。第１抵抗器５０の他端は、第１接地極３４に接続される。
【００２８】
第２抵抗器５２の一端は、電源用端子２０と範囲判断部２８とを接続する電線から分岐する電線に接続される。第２抵抗器５２の他端は、第１接地極３４に接続される。第２抵抗器５２は、第１抵抗器５０と並列に接続される。
【００２９】
第３抵抗器５４の一端は、電源用端子２０と範囲判断部２８とを接続する電線から分岐する電線に接続される。第３抵抗器５４の他端は、第１接地極３４に接続される。第３抵抗器５４は、第１抵抗器５０および第２抵抗器５２と並列に接続される。
【００３０】
第１抵抗器５０と、第２抵抗器５２と、第３抵抗器５４とにより、継電器用電源装置１２から範囲判断部２８へ供給される電力の一部が消費される。このようにして、範囲判断部２８に、負荷がかかった状態の継電器用電源装置１２から流れてくる電流の対地電圧が所定の範囲内となるか否かを判断させる。
【００３１】
本実施形態にかかる動作判断部２４は、動作判断用継電器７０と、動作判断用整流素子７２とを有する。
【００３２】
動作判断用継電器７０の端子の１つは、電源用端子２０と範囲判断部２８とを接続する電線から分岐する電線に接続される。動作判断用継電器７０の端子の他の１つは、第１接地極３４に接続される。これにより、動作判断用継電器７０には、継電器用電源装置１２から流れる電流の一部が通過することとなる。動作判断用継電器７０は、第１抵抗器５０と第２抵抗器５２と第３抵抗器５４とに並列に接続される。動作判断用継電器７０の端子の他の２つは、継電器接続電路２６と範囲判断部２８とに接続される。
【００３３】
本実施形態の場合、次に述べられる３つの要件が満たされると、動作判断用継電器７０は、継電器接続電路２６を閉じる。その３つの要件のうち１つ目は、電源用端子２０から流れてきた電流が、予め定められた方向に流れるという要件である。２つ目の要件は、その電流の電流値が動作判断用継電器７０を動作させ得る電流値であるという要件である。３つ目の要件は、その電流の電圧値が動作判断用継電器７０を動作させ得る電圧値であるという要件である。動作判断用継電器７０が継電器接続電路２６を閉じると、継電器接続電路２６は導通可能になる。これにより、動作判断用継電器７０は、「真」を示す電気信号を生成し、この信号を継電器接続電路２６に出力することとなる。
【００３４】
動作判断用整流素子７２は、動作判断用継電器７０に流れる電流の向きを整える。本実施形態にかかる動作判断用整流素子７２は、例えば、周知の整流ダイオードによって実現される。
【００３５】
図３は、本実施形態にかかる範囲判断部２８の一部の構成が示される概念図である。図３に基づいて、本実施形態にかかる範囲判断部２８の一部の構成が説明される。
【００３６】
本実施形態にかかる範囲判断部２８は、駆動電源用端子８０と、上限電力供給部８２と、信号生成部用コンバータ８４と、下限電力供給部８６とを有する。
【００３７】
駆動電源用端子８０は図示されない電源に接続される。この電源は、範囲判断部２８を駆動するための電力を供給する。
【００３８】
上限電力供給部８２は、駆動電源用端子８０に接続される。上限電力供給部８２は、対地電圧が所定の範囲の上限値である電力を供給する。上限電力供給部８２の具体的な構成は後述される。
【００３９】
信号生成部用コンバータ８４は、駆動電源用端子８０に接続され、かつ、第１接地極３４によって接地される。信号生成部用コンバータ８４は、駆動電源用端子８０から供給される電力の電圧を所定の電圧に変換する。本実施形態の場合、信号生成部用コンバータ８４は、駆動電源用端子８０から供給される電力を降圧する。
【００４０】
下限電力供給部８６は、駆動電源用端子８０に接続され、かつ、第１接地極３４によって接地される。本実施形態の場合、下限電力供給部８６は、周知の２個の抵抗器によって、駆動電源用端子８０から供給された電力を順次降圧する。これにより、本実施形態にかかる下限電力供給部８６は一種の分圧器を構成している。下限電力供給部８６を構成する個々の抵抗器の抵抗値を予め適宜選択しておくことで、下限電力供給部８６は、対地電圧が上述された「所定の範囲」の下限値である電力を供給できる。
【００４１】
上限電力供給部８２は、超過電力供給用コンバータ９０と、上限側降圧部９２とを有する。
【００４２】
超過電力供給用コンバータ９０は、第２接地極３６によって接地される。超過電力供給用コンバータ９０は、駆動電源用端子８０から供給される電力の対地電圧を所定の対地電圧に変換する。本実施形態の場合、超過電力供給用コンバータ９０は、駆動電源用端子８０から供給される電力を昇圧する。
【００４３】
上限側降圧部９２は超過電力供給用コンバータ９０に接続され、第１接地極３４によって接地される。上限側降圧部９２は、周知の４個の抵抗器によって、超過電力供給用コンバータ９０により昇圧された電圧を順次降圧する。これにより、本実施形態にかかる上限側降圧部９２は一種の分圧器を構成している。上限側降圧部９２を構成する個々の抵抗器の抵抗値を予め適宜選択しておくことで、上限側降圧部９２は、対地電圧が上述された「所定の範囲」の上限値である電力を供給できる。これらの記載から明らかなように、本実施形態にかかる上限電力供給部８２においては、超過電力供給用コンバータ９０による昇圧と上限側降圧部９２による降圧とにより、対地電圧が所定の範囲の上限値である電力を供給している。これにより、駆動電源用端子８０から供給される電力の電圧を継電器用電源装置１２が供給する電力の対地電圧の上限値に等しくなるよう直接昇圧する場合に比べ、精度の良い対地電圧の設定が可能になる。
【００４４】
本実施形態において、超過電力供給用コンバータ９０と、信号生成部用コンバータ８４とは、周知のコンバータによって実現される。したがって、ここではその詳細な説明は繰り返されない。本実施形態において、上限側降圧部９２は、直列に接続された周知の抵抗器によって実現される。したがって、ここではその詳細な説明は繰り返されない。
【００４５】
図４は、本実施形態にかかる範囲判断部２８の残る一部と継電器接続電路２６と複数種条件判断部３０との構成が示される概念図である。図４に基づいて、本実施形態にかかる範囲判断部２８の残る一部と継電器接続電路２６と複数種条件判断部３０との構成が説明される。
【００４６】
本実施形態にかかる範囲判断部２８は、駆動電源用端子８０と、上限電力供給部８２と、信号生成部用コンバータ８４と、下限電力供給部８６とに加え、次に述べられる素子を有している。それらの素子は、電圧上限判断用比較器１２０と、上限側信号降圧抵抗器１２２と、電圧上限判断用フォトカプラ１２４と、電圧下限判断用比較器１２６と、下限側信号降圧抵抗器１２８と、電圧下限判断用フォトカプラ１３０と、上限電位側フォトカプラ用降圧抵抗器１３２と、電圧条件判断用論理積回路１３４と、対地電圧側接地用降圧抵抗器１３６とである。
【００４７】
電圧上限判断用比較器１２０は、上限側降圧部９２の途中の箇所の対地電圧（本実施形態の場合、この箇所の対地電圧が上述された「所定の範囲」の上限値となっている）と電源用端子２０から電圧上限判断用比較器１２０までの区間の対地電圧とを比較する。電圧上限判断用比較器１２０は、その比較結果に応じた信号を出力する。本実施形態の場合、電圧上限判断用比較器１２０は、上限側降圧部９２の上述された箇所の対地電圧が電源用端子２０から電圧上限判断用比較器１２０までの区間の対地電圧以上であれば、「真」を示す信号を出力する。本実施形態の場合、電圧上限判断用比較器１２０は、上限側降圧部９２の上述された箇所の対地電圧が電源用端子２０から電圧上限判断用比較器１２０までの区間の対地電圧未満であれば、「偽」を示す信号を出力する。
【００４８】
上限側信号降圧抵抗器１２２は、電圧上限判断用比較器１２０から出力された信号の第１接地極３４に対する対地電圧を下げる。
【００４９】
電圧上限判断用フォトカプラ１２４は、電圧上限判断用比較器１２０が出力した電気信号をいったん光信号に変え、さらに電気信号に変える。本実施形態の場合、電圧上限判断用比較器１２０が出力した電気信号が「真」を示す信号であれば、電圧上限判断用フォトカプラ１２４は、「真」を示す電気信号を出力する。本実施形態の場合、電圧上限判断用比較器１２０が出力した電気信号が「偽」を示す信号であれば、電圧上限判断用フォトカプラ１２４は、「偽」を示す電気信号を出力する。
【００５０】
電圧下限判断用比較器１２６は、電源用端子２０から電圧下限判断用比較器１２６までの区間の対地電圧と下限電力供給部８６の途中の箇所の対地電圧（本実施形態の場合、この箇所の対地電圧が上述された「所定の範囲」の下限値となっている）とを比較する。電圧下限判断用比較器１２６は、その比較結果に応じた信号を出力する。本実施形態の場合、電圧下限判断用比較器１２６は、下限電力供給部８６の途中の箇所の対地電圧が電源用端子２０から電圧下限判断用比較器１２６までの区間の対地電圧以下であれば、「真」を示す信号を出力する。本実施形態の場合、電圧下限判断用比較器１２６は、下限電力供給部８６の途中の箇所の対地電圧が電源用端子２０から電圧下限判断用比較器１２６までの区間の対地電圧を超えていれば、「偽」を示す信号を出力する。
【００５１】
下限側信号降圧抵抗器１２８は、電圧下限判断用比較器１２６から出力された信号の第１接地極３４に対する対地電圧を下げる。
【００５２】
電圧下限判断用フォトカプラ１３０は、電圧下限判断用比較器１２６が出力した電気信号をいったん光信号に変え、さらに電気信号に変える。本実施形態の場合、電圧下限判断用比較器１２６が出力した電気信号が「真」を示す信号であれば、電圧下限判断用フォトカプラ１３０は、「真」を示す電気信号を出力する。本実施形態の場合、電圧下限判断用比較器１２６が出力した電気信号が「偽」を示す信号であれば、電圧下限判断用フォトカプラ１３０は、「偽」を示す電気信号を出力する。
【００５３】
上限電位側フォトカプラ用降圧抵抗器１３２は、電圧上限判断用フォトカプラ１２４と第１接地極３４との間に電圧を設定する。
【００５４】
本実施形態の場合、電圧条件判断用論理積回路１３４は、電圧上限判断用フォトカプラ１２４が出力した信号と電圧下限判断用フォトカプラ１３０が出力した信号との双方が「真」であれば、「真」を示す信号を出力する。本実施形態の場合、電圧条件判断用論理積回路１３４は、電圧上限判断用フォトカプラ１２４が出力した信号と電圧下限判断用フォトカプラ１３０が出力した信号とのうち少なくとも一方が「偽」であれば、「偽」を示す信号を出力する。
【００５５】
対地電圧側接地用降圧抵抗器１３６は、電圧下限判断用フォトカプラ１３０および電圧条件判断用論理積回路１３４と第１接地極３４との間に電圧を設定する。
【００５６】
図４に基づいて、本実施形態にかかる継電器接続電路２６の構成が説明される。本実施形態にかかる継電器接続電路２６は、動作判断用継電器７０に一端が接続され、第１接地極３４に設置される。本実施形態にかかる継電器接続電路２６は動作判断用降圧抵抗器１５０を有する。動作判断用降圧抵抗器１５０は、動作判断用継電器７０から出力された信号の電圧を下げる。動作判断用降圧抵抗器１５０は、周知の抵抗器からなる。
【００５７】
図４に基づいて、本実施形態にかかる複数種条件判断部３０の構成が説明される。本実施形態にかかる複数種条件判断部３０は、導通判定信号生成用フォトカプラ１７０と、動作判断用設定抵抗器１７２と、複数種条件判断用論理積回路１７４と、検査結果判断用降圧抵抗器１７６と、結果信号生成用フォトカプラ１７８とを有する。
【００５８】
導通判定信号生成用フォトカプラ１７０は、動作判断用継電器７０が出力した電気信号をいったん光信号に変え、さらに電気信号に変える。本実施形態の場合、動作判断用継電器７０が出力した電気信号が「真」を示す信号であれば、導通判定信号生成用フォトカプラ１７０は、「真」を示す電気信号を出力する。本実施形態の場合、動作判断用継電器７０が出力した電気信号が「真」を示す信号でなければ、導通判定信号生成用フォトカプラ１７０は、信号を出力しない。
【００５９】
動作判断用設定抵抗器１７２は、導通判定信号生成用フォトカプラ１７０および複数種条件判断用論理積回路１７４と第１接地極３４との間に電圧を設定する。
【００６０】
本実施形態の場合、複数種条件判断用論理積回路１７４は、電圧条件判断用論理積回路１３４が出力した信号と導通判定信号生成用フォトカプラ１７０が出力した信号との双方が「真」を示していれば、「真」を示す信号を出力する。本実施形態の場合、複数種条件判断用論理積回路１７４は、電圧条件判断用論理積回路１３４が出力した信号と導通判定信号生成用フォトカプラ１７０が出力した信号とのうち少なくとも一方が「真」を示していなければ、「偽」を示す信号を出力する。
【００６１】
検査結果判断用降圧抵抗器１７６は、複数種条件判断用論理積回路１７４から出力された信号の第１接地極３４に対する対地電圧を下げる。
【００６２】
結果信号生成用フォトカプラ１７８は、複数種条件判断用論理積回路１７４が出力した電気信号をいったん光信号に変え、さらに電気信号に変える。本実施形態の場合、結果信号生成用フォトカプラ１７８は、複数種条件判断用論理積回路１７４が出力した信号が「真」を示していれば、「真」を示す信号を出力する。本実施形態の場合、結果信号生成用フォトカプラ１７８は、複数種条件判断用論理積回路１７４が出力した信号が「偽」を示していれば、「偽」を示す信号を出力する。
【００６３】
上限側信号降圧抵抗器１２２と、下限側信号降圧抵抗器１２８と、上限電位側フォトカプラ用降圧抵抗器１３２と、対地電圧側接地用降圧抵抗器１３６と、動作判断用設定抵抗器１７２と、検査結果判断用降圧抵抗器１７６とは、周知の抵抗器によって構成される。これらの抵抗器の抵抗値は互いに異なる。これにより、これらの抵抗器は、これらが配置された場所に応じて電圧を設けることができる。電圧を設けることで、これらはその一端に接続される配線の対地電圧を所定のものに設定する機能を果たす。これらの抵抗器自体の構成は周知なのでその詳細な説明は繰り返されない。
【００６４】
電圧上限判断用フォトカプラ１２４と、電圧下限判断用フォトカプラ１３０と、導通判定信号生成用フォトカプラ１７０と、結果信号生成用フォトカプラ１７８とは、周知のフォトカプラによって構成される。これらのフォトカプラは、入力側と出力側との間を電気的に絶縁しつつ入力側から出力側へ信号を伝達する。これらのフォトカプラ自体の構成は周知なのでその詳細な説明は繰り返されない。
【００６５】
電圧上限判断用比較器１２０と、電圧下限判断用比較器１２６とは、周知の比較器によって構成される。電圧条件判断用論理積回路１３４と、複数種条件判断用論理積回路１７４とは、周知の論理積回路によって構成される。これらの比較器および論理積回路の構成は周知なのでその詳細な説明は繰り返されない。
【００６６】
［動作の説明］
図１乃至図４に基づいて、本実施形態にかかる継電器用電源検査装置１０の動作が説明される。
【００６７】
（正常な継電器用電源装置が接続された場合）
まず、作業者は、駆動電源用端子８０を介して超過電力供給用コンバータ９０と信号生成部用コンバータ８４と下限電力供給部８６とに電力を供給する。上限電力供給部８２の超過電力供給用コンバータ９０と信号生成部用コンバータ８４とは供給された電力の対地電圧を互いに異なる所定の電圧に変換する。超過電力供給用コンバータ９０によって電圧が変換された電力は上限側降圧部９２に供給される。上限側降圧部９２は、超過電力供給用コンバータ９０と電圧上限判断用比較器１２０との間に電圧を設定する。信号生成部用コンバータ８４によって電圧が変換された電力は、電圧上限判断用フォトカプラ１２４と、電圧下限判断用フォトカプラ１３０と、導通判定信号生成用フォトカプラ１７０とに供給される。下限電力供給部８６は、駆動電源用端子８０を介して電力が供給されると、駆動電源用端子８０と電圧下限判断用比較器１２６との間に電圧を設定する。
【００６８】
次いで、作業者は、検査の対象である継電器用電源装置１２を電源用端子２０に接続する。次いで、作業者は、継電器用電源装置１２から電源用端子２０を介して本実施形態にかかる継電器用電源検査装置１０に電力を供給させる。継電器用電源装置１２から供給される電力は、電源用端子２０および電力消費部２２を経由して範囲判断部２８に供給される。その途中、その電力の一部が、電力消費部２２の第１抵抗器５０と第２抵抗器５２と第３抵抗器５４とに供給される。第１抵抗器５０と第２抵抗器５２と第３抵抗器５４とに供給された電力は熱として消費される。また、その電力のうち電力消費部２２に供給されるものとは異なる一部が、動作判断用継電器７０に供給される。動作判断用継電器７０に供給された電力はこれを動作させる。その結果、継電器接続電路２６が導通可能となる。これに伴い、導通判定信号生成用フォトカプラ１７０に「真」を示す信号が入力されることとなる。継電器用電源装置１２から供給された電力のうち第１抵抗器５０と第２抵抗器５２と第３抵抗器５４と動作判断用継電器７０とに供給された分を除く残りの電力は、電圧上限判断用比較器１２０と電圧下限判断用比較器１２６とに供給される。
【００６９】
電圧上限判断用比較器１２０は、これらの電圧の高低に応じた信号を出力する。この場合、正常な継電器用電源装置１２が接続されているので、電圧上限判断用比較器１２０は、「真」を示す信号を出力する。その信号は電圧上限判断用フォトカプラ１２４に入力される。その信号が入力されると、電圧上限判断用フォトカプラ１２４は「真」を示す信号を出力する。その電圧上限判断用フォトカプラ１２４が出力した信号は電圧条件判断用論理積回路１３４に入力される。
【００７０】
これと並行して、電圧下限判断用比較器１２６には、電源用端子２０から電圧下限判断用比較器１２６までの区間の対地電圧と下限電力供給部８６の途中における対地電圧（「所定の範囲」の下限値）とが供給されることとなる。電圧下限判断用比較器１２６は、これらの電圧の高低に応じた信号を出力する。この場合、正常な継電器用電源装置１２が接続されているので、電圧下限判断用比較器１２６は、「真」を示す信号を出力する。その信号は電圧下限判断用フォトカプラ１３０に入力される。その信号が入力されると、電圧下限判断用フォトカプラ１３０は「真」を示す信号を出力する。その電圧下限判断用フォトカプラ１３０が出力した信号も電圧条件判断用論理積回路１３４に入力される。この場合、電圧上限判断用フォトカプラ１２４が出力した信号と電圧下限判断用フォトカプラ１３０が出力した信号との双方が「真」を示す信号である。その結果、電圧条件判断用論理積回路１３４は、「真」を示す信号を出力する。その信号は、複数種条件判断用論理積回路１７４に入力される。
【００７１】
電圧上限判断用比較器１２０および電圧下限判断用比較器１２６の動作と並行して、上述されたように、導通判定信号生成用フォトカプラ１７０に対して「真」を示す信号が入力される。「真」を示す信号が入力されると、導通判定信号生成用フォトカプラ１７０は「真」を示す信号を出力する。その導通判定信号生成用フォトカプラ１７０が出力した信号は複数種条件判断用論理積回路１７４に入力される。
【００７２】
複数種条件判断用論理積回路１７４には、電圧条件判断用論理積回路１３４が出力した信号と導通判定信号生成用フォトカプラ１７０が出力した信号とが入力される。これらの信号の双方が「真」を示す信号である。その結果、複数種条件判断用論理積回路１７４は、「真」を示す信号を出力する。その信号は、検査結果判断用降圧抵抗器１７６を経て結果信号生成用フォトカプラ１７８に入力される。結果信号生成用フォトカプラ１７８は、「真」を示す信号を出力する。その信号は、判断結果出力端子３２を経て本実施形態にかかる継電器用電源検査装置１０の外部に出力される。その信号は、継電器用電源装置１２から供給された電力の電圧が予め定められた上限値と下限値との間にあり、かつ、継電器用電源装置１２から供給された電力によって動作判断用継電器７０が正常に動作することを示す。
【００７３】
（複数の継電器が接続されるとき供給できる電力が小さい継電器用電源装置が接続された場合）
まず、作業者は、駆動電源用端子８０を介して超過電力供給用コンバータ９０と信号生成部用コンバータ８４と下限電力供給部８６とに電力を供給する。これにより、正常な継電器用電源装置１２が接続された場合と同様に、本実施形態にかかる継電器用電源検査装置１０に電力が供給されることとなる。次いで、作業者は、継電器用電源装置１２を電源用端子２０に接続する。次いで、作業者は、継電器用電源装置１２から電源用端子２０を介して本実施形態にかかる継電器用電源検査装置１０に電力を供給させる。
【００７４】
継電器用電源装置１２から供給される電力は、電源用端子２０および電力消費部２２を経由して範囲判断部２８に供給される。この継電器用電源装置１２は、複数の継電器が接続されるとき供給できる電力が小さい。このため、電力消費部２２の第１抵抗器５０と第２抵抗器５２と第３抵抗器５４とによって電力の一部が熱として消費されると、動作判断用継電器７０に供給される電力がこれを駆動できない程度に小さくなってしまう。電力が小さいので、動作判断用継電器７０が動作しない。動作判断用継電器７０が動作しないので、継電器接続電路２６は、導通不能な状態のままである。これに伴い、導通判定信号生成用フォトカプラ１７０には「真」を示す信号が入力されない。
【００７５】
継電器用電源装置１２から供給された電力のうち第１抵抗器５０と第２抵抗器５２と第３抵抗器５４と動作判断用継電器７０とに供給された分を除く残りの電力は、電圧上限判断用比較器１２０と電圧下限判断用比較器１２６とに供給される。
【００７６】
電圧上限判断用比較器１２０は、これに供給される電力の電圧の高低に応じた信号を出力する。この場合、電圧上限判断用比較器１２０は、「真」を示す信号を出力する。その信号は電圧上限判断用フォトカプラ１２４に入力される。その信号が入力されると、電圧上限判断用フォトカプラ１２４は信号を出力する。その電圧上限判断用フォトカプラ１２４が出力した信号は電圧条件判断用論理積回路１３４に入力される。
【００７７】
これと並行して、電圧下限判断用比較器１２６も、これに供給される電力の電圧の高低に応じた信号を出力する。この場合、電圧下限判断用比較器１２６は、「偽」を示す信号を出力する。その信号は電圧下限判断用フォトカプラ１３０に入力される。その信号が入力されると、電圧下限判断用フォトカプラ１３０は信号を出力する。その電圧下限判断用フォトカプラ１３０が出力した信号も電圧条件判断用論理積回路１３４に入力される。この場合、電圧上限判断用フォトカプラ１２４が出力した信号は「真」を示し、電圧下限判断用フォトカプラ１３０が出力した信号は「偽」を示す。その結果、電圧条件判断用論理積回路１３４は、「偽」を示す信号を出力する。その信号は、複数種条件判断用論理積回路１７４に入力される。
【００７８】
上述されたように、この場合、導通判定信号生成用フォトカプラ１７０には「真」を示す信号が入力されない。したがって、導通判定信号生成用フォトカプラ１７０は信号を出力しない。
【００７９】
複数種条件判断用論理積回路１７４には、電圧条件判断用論理積回路１３４が出力した信号が入力され、導通判定信号生成用フォトカプラ１７０が出力した信号は入力されない。電圧条件判断用論理積回路１３４が出力した信号が「偽」である。その結果、複数種条件判断用論理積回路１７４は、「偽」を示す信号を出力する。その信号は、検査結果判断用降圧抵抗器１７６を経て結果信号生成用フォトカプラ１７８に入力される。結果信号生成用フォトカプラ１７８は、「偽」を示す信号を出力する。その信号は、判断結果出力端子３２を経て本実施形態にかかる継電器用電源検査装置１０の外部に出力される。その信号は、継電器用電源装置１２から供給された電力によっては動作判断用継電器７０が正常に動作しないことを示す。
【００８０】
（供給する電力の電圧が大き過ぎる継電器用電源装置が接続された場合）
まず、作業者は、駆動電源用端子８０を介して超過電力供給用コンバータ９０と信号生成部用コンバータ８４と下限電力供給部８６とに電力を供給する。次いで、作業者は、継電器用電源装置１２を電源用端子２０に接続する。次いで、作業者は、継電器用電源装置１２から電源用端子２０を介して本実施形態にかかる継電器用電源検査装置１０に電力を供給させる。
【００８１】
継電器用電源装置１２から供給される電力は、電源用端子２０および電力消費部２２を経由して範囲判断部２８に供給される。その途中、その電力の一部が、電力消費部２２の第１抵抗器５０と第２抵抗器５２と第３抵抗器５４とに供給される。その電力の一部のうち電力消費部２２に供給されたものとは異なる電力の一部が動作判断用継電器７０に供給される。動作判断用継電器７０に供給された電力はこれを動作させる。その結果、導通判定信号生成用フォトカプラ１７０に対し「真」を示す信号が入力されることとなる。
【００８２】
継電器用電源装置１２から供給された電力のうち第１抵抗器５０と第２抵抗器５２と第３抵抗器５４と動作判断用継電器７０とに供給された分を除く残りの電力は、電圧比較部４２の電圧上限判断用比較器１２０と電圧下限判断用比較器１２６とに供給される。
【００８３】
電圧上限判断用比較器１２０は、これに供給される電力の電圧の高低に応じた信号を出力する。この場合、供給される電力の電圧が大き過ぎるので、電圧上限判断用比較器１２０は、「偽」を示す信号を出力する。その信号は電圧上限判断用フォトカプラ１２４に入力される。その信号が入力されると、電圧上限判断用フォトカプラ１２４は信号を出力する。その電圧上限判断用フォトカプラ１２４が出力した信号は電圧条件判断用論理積回路１３４に入力される。
【００８４】
これと並行して、電圧下限判断用比較器１２６も、これに供給される電力の電圧の高低に応じた信号を出力する。この場合、電圧下限判断用比較器１２６は、「真」を示す信号を出力する。その信号は電圧下限判断用フォトカプラ１３０に入力される。その信号が入力されると、電圧下限判断用フォトカプラ１３０は信号を出力する。その電圧下限判断用フォトカプラ１３０が出力した信号も電圧条件判断用論理積回路１３４に入力される。この場合、電圧上限判断用フォトカプラ１２４が出力した信号が「偽」である。電圧下限判断用フォトカプラ１３０が出力した信号は「真」である。その結果、電圧条件判断用論理積回路１３４は、「偽」を示す信号を出力する。その信号は、複数種条件判断用論理積回路１７４に入力される。
【００８５】
電圧上限判断用比較器１２０および電圧下限判断用比較器１２６の動作と並行して、上述されたように、導通判定信号生成用フォトカプラ１７０に対して「真」を示す信号が入力される。信号が入力されると、導通判定信号生成用フォトカプラ１７０は信号を出力する。その導通判定信号生成用フォトカプラ１７０が出力した信号は複数種条件判断用論理積回路１７４に入力される。
【００８６】
複数種条件判断用論理積回路１７４には、電圧条件判断用論理積回路１３４が出力した信号と導通判定信号生成用フォトカプラ１７０が出力した信号とが入力される。電圧条件判断用論理積回路１３４が出力した信号が「偽」である。導通判定信号生成用フォトカプラ１７０が出力した信号が「真」である。その結果、複数種条件判断用論理積回路１７４は、「偽」を示す信号を出力する。その信号は、検査結果判断用降圧抵抗器１７６を経て結果信号生成用フォトカプラ１７８に入力される。結果信号生成用フォトカプラ１７８は、「偽」を示す信号を出力する。その信号は、判断結果出力端子３２経て本実施形態にかかる継電器用電源検査装置１０の外部に出力される。その信号は、継電器用電源装置１２から供給された電力によっては動作判断用継電器７０が正常に動作しないことを示す。
【００８７】
［効果の説明］
本実施形態にかかる継電器用電源検査装置１０においては、継電器用電源装置１２から動作判断用継電器７０に電流が流れると、継電器接続電路２６が導通可能になる。複数種条件判断部３０は、継電器用電源装置１２から流れる電流の対地電圧が所定の範囲内であり、かつ、継電器接続電路２６が導通可能であるか否かを判断する。これにより、本実施形態にかかる継電器用電源検査装置１０は、継電器用電源装置１２に継電器が接続されその継電器へその継電器用電源装置１２から電力が供給されると正しく動作するか否かの判断を行うこととなる。本実施形態にかかる継電器用電源検査装置１０は、単に継電器用電源装置１２から流れる電流の対地電圧が所定の範囲内か否かを判断するだけではない。その結果、継電器が誤動作する恐れのある継電器用電源装置１２を発見できる可能性が向上する。
【００８８】
今回開示された実施形態はすべての点で例示である。本発明の範囲は上述した実施形態に基づいて制限されるものではない。もちろん、本発明の趣旨を逸脱しない範囲で種々の設計変更をしてもよい。
【００８９】
例えば、上限電力供給部８２の構成は上述したものに限定されない。範囲判断部２８の構成も上述したものに限定されない。
【符号の説明】
【００９０】
１０…継電器用電源検査装置
１２…継電器用電源装置
２０…電源用端子
２２…電力消費部
２４…動作判断部
２６…継電器接続電路
２８…範囲判断部
３０…複数種条件判断部
３２…判断結果出力端子
３４…第１接地極
３６…第２接地極
４２…電圧比較部
５０…第１抵抗器
５２…第２抵抗器
５４…第３抵抗器
７０…動作判断用継電器
７２…動作判断用整流素子
８０…駆動電源用端子
８２…上限電力供給部
８４…信号生成部用コンバータ
８６…下限電力供給部
９０…超過電力供給用コンバータ
９２…上限側降圧部
１２０…電圧上限判断用比較器
１２２…上限側信号降圧抵抗器
１２４…電圧上限判断用フォトカプラ
１２６…電圧下限判断用比較器
１２８…下限側信号降圧抵抗器
１３０…電圧下限判断用フォトカプラ
１３２…上限電位側フォトカプラ用降圧抵抗器
１３４…電圧条件判断用論理積回路
１３６…対地電圧側接地用降圧抵抗器
１５０…動作判断用降圧抵抗器
１７０…導通判定信号生成用フォトカプラ
１７２…動作判断用設定抵抗器
１７４…複数種条件判断用論理積回路
１７６…検査結果判断用降圧抵抗器
１７８…結果信号生成用フォトカプラ
【図１】
2019120612.tif 000003
【図２】
2019120612.tif 000004
【図３】
2019120612.tif 000005
【図４】
2019120612.tif 000006